(57)【要約】【課題】ユーザがシャワーフックに保持されたシャワーヘッドに接近する際に壁面からのスペースが十分に確保されるシャワーフックを提供すること。【解決手段】壁面１３１ａに取り付けられるブラケット部５と、一端側がブラケット部５に横方向に回動可能に接続され他端側にシャワーヘッドを保持する保持部７が設けられたアーム６と、を有し、平面視で、アーム６を壁面１３１ａに垂直な姿勢にしたときに、保持部７の壁面１３１ａからの距離Ｌ２が、ブラケット部５の下方の壁面部分に設置された設置物１３６の壁面１３１ａからの突出寸法Ｌ１よりも大きいシャワーフック１。このシャワーフック１の１つの態様では、アーム６は、ブラケット部５側から保持部７側に向かう程下がるように傾斜して延びている。【選択図】図２
2019044438.tif 000002
【特許請求の範囲】
【請求項１】
壁面に取り付けられるブラケット部と、
一端側が前記ブラケット部に横方向に回動可能に接続され他端側にシャワーヘッドを保持する保持部が設けられたアームと、を有し、
平面視で、前記アームを前記壁面に垂直な姿勢にしたときに、前記保持部の前記壁面からの距離が、前記ブラケット部の下方の前記壁面部分に設置された設置物の前記壁面からの突出寸法よりも大きいシャワーフック。
【請求項２】
前記アームは、前記ブラケット部側から前記保持部側に向かう程下がるように傾斜して延びている請求項１に記載のシャワーフック。
【請求項３】
前記保持部は、シャワーヘッドを上下方向に回動可能に保持する請求項１又は２に記載のシャワーフック。
【請求項４】
前記シャワーフックは、下方に設けられる補助シャワーフックよりも突出寸法が大きい請求項１から３の何れか一項に記載のシャワーフック。
【請求項５】
前記ブラケット部は、前記アームを鉛直な軸の周りに横方向に回動可能にラチェット機構を介して支持する請求項１から４の何れか一項に記載のシャワーフック。
【請求項６】
シャワーフックの下方に設置物が配置された浴室であって、
前記シャワーフックは、
前記浴室の壁面に取り付けられるブラケット部と、
一端側が前記ブラケット部に横方向に回動可能に接続され他端側にシャワーヘッドを保持する保持部が設けられたアームと、を有し、
平面視で、前記アームを前記壁面に垂直な姿勢にしたときに、前記保持部の前記壁面からの距離が、前記ブラケット部の下方の前記壁面部分に設置された前記設置物の前記壁面からの突出寸法よりも大きい
浴室。
【請求項７】
前記シャワーフックよりも突出寸法が小さい補助シャワーフックが前記シャワーフックの下方に設けられる請求項６に記載の浴室。
【発明の詳細な説明】
【技術分野】
【０００１】
本発明は、シャワーヘッドを保持するシャワーフック、及び、浴室に関する。
【背景技術】
【０００２】
シャワーヘッドを保持するための部分である保持部材を、シャワーフックの基部に対して横方向及び縦方向に回して角度を調節できるようにしたシャワーフックが提案されている（例えば、特許文献１参照）。特許文献１に開示されたシャワーフックは、浴室などの壁面に固定される基部に対し、ヘッド保持アダプターを縦方向の軸によって横方向に回動可能に支持し、このヘッド保持アダプターに対し、シャワーヘッドを保持する保持部材を横方向の軸により縦方向に回動可能に支持している。シャワーヘッドが回動可能に保持されていれば、ユーザは所用に応じてシャワーヘッドの向きを変えられるため便利である。
【先行技術文献】
【特許文献】
【０００３】
【特許文献１】特開２０１６−１９９９９９号公報
【発明の概要】
【発明が解決しようとする課題】
【０００４】
しかしながら、特許文献１のシャワーフックでは、ユーザが洗髪等に際してシャワーフックに保持されたシャワーヘッドに接近する際に、壁面から突出している下方のカウンタその他の設置物に当たらないように注意しなくてはならず、窮屈である。
【０００５】
本発明は、上記事情に鑑みてなされたものであり、ユーザがシャワーフックに保持されたシャワーヘッドに接近する際に壁面からのスペースが十分に確保されるシャワーフック、及び、浴室を提供することを目的とする。
【課題を解決するための手段】
【０００６】
上記目的を達成するため、本発明のシャワーフック（例えば、後述するシャワーフック１）は、壁面（例えば、後述する壁面１３１ａ）に取り付けられるブラケット部（例えば、後述するブラケット部５）と、一端側が前記ブラケット部に横方向に回動可能に接続され他端側にシャワーヘッド（例えば、後述するシャワーヘッド３）を保持する保持部（例えば、後述する保持部７）が設けられたアーム（例えば、後述するアーム６）と、を有し、平面視で、前記アームを前記壁面に垂直な姿勢にしたときに、前記保持部の前記壁面からの距離（例えば、後述する距離Ｌ２）が、前記ブラケット部の下方の前記壁面部分に設置された設置物（例えば、後述するカウンタ１３６）の前記壁面からの突出寸法（例えば、後述する寸法Ｌ１）よりも大きい。
【０００７】
前記アームは、前記ブラケット部側から前記保持部側に向かう程下がるように傾斜して延びていることが好ましい。
【０００８】
また、前記保持部は、シャワーヘッドを上下方向に回動可能に保持することが好ましい。
【０００９】
また、前記シャワーフックは、、下方に設けられる補助シャワーフック（例えば、後述する補助シャワーフック２）よりも突出寸法が大きいことが好ましい。
【００１０】
また、前記ブラケット部は、前記アームを鉛直な軸（例えば、後述する中空軸体１３）の周りに横方向に回動可能にラチェット機構（例えば、後述するラチェット機構２６）を介して支持することが好ましい。
【００１１】
また、本発明の浴室は、シャワーフック（例えば、後述するシャワーフック１）の下方に設置物（例えば、後述するカウンタ１３６）が配置された浴室であって、前記シャワーフックは、前記浴室の壁面（例えば、後述する壁面１３１a）に取り付けられるブラケット部（例えば、後述するブラケット部５）と、一端側が前記ブラケット部に横方向に回動可能に接続され他端側にシャワーヘッド（例えば、後述するシャワーヘッド３）を保持する保持部が設けられたアーム（例えば、後述するアーム６）と、を有し、平面視で、前記アームを前記壁面に垂直な姿勢にしたときに、前記保持部の前記壁面からの距離が、前記ブラケット部の下方の前記壁面部分に設置された前記設置物の前記壁面からの突出寸法よりも大きい。
【００１２】
また、前記浴室は、シャワーフックよりも突出寸法が小さい補助シャワーフックが前記シャワーフックの下方に設けられることが好ましい。
【発明の効果】
【００１３】
本発明によれば、ユーザがシャワーフックに保持されたシャワーヘッドに接近する際に壁面からのスペースが十分に確保される。
【図面の簡単な説明】
【００１４】
【図１】本発明の一実施形態としてのシャワーフックを設けた壁面が右側方に見える視野で本発明の一実施形態としての浴室である浴室ユニットを示す斜視図である。
【図２】本発明の一実施形態としてのシャワーフックを壁面に取り付けた状態を示す側面図である。
【図３】本発明の一実施形態としてのシャワーフックを示す斜視図である。
【図４】本発明の一実施形態としてのシャワーフックの側断面図である。
【図５】図４よりも断面深さが浅い図４のシャワーフックの側断面図である。
【図６】本発明の一実施形態としてのシャワーフックの向きを横方向に変えるための機構を説明する図である。
【発明を実施するための形態】
【００１５】
以下、図面を参照しながら本発明の実施形態について詳述することにより本発明を明らかにする。
図１は、本発明の一実施形態としてシャワーフックを設けた壁面が右側方に見える視野で本発明の一実施形態としての浴室である浴室ユニットを示す斜視図である。
浴室ユニット１００は、浴槽１１０に並んで洗い場床１２０が設けられている。この浴室ユニット１００は、浴槽１１０の４周のうち洗い場床１２０側を除く３方を囲む壁パネルと、ドアが設けられドアパネルとによって４周が囲まれている。ここでは、説明の便宜上、シャワーフック１及び補助シャワーフック２が設けられた第１壁パネル１３１と、第１壁パネル１３１に一端側が垂直に接合されて浴槽１１０の長辺に沿う第２壁パネル１３２が示され他のパネルは未設置の状態で表されている。第１壁パネル１３１及び第２壁パネル１３２は、それぞれ複数の壁パネル部材によって構成される。
【００１６】
第１壁パネル１３１には、上方のシャワーフック１と下方の補助シャワーフック２が縦方向に所定間隔で固定され、補助シャワーフック２に向かって右手下方に混合水栓１３３が設けられている。シャワーフック１及び補助シャワーフック２は、所用に応じユーザの任意でそれらの何れかでシャワーヘッド３を支持する。シャワーヘッド３から延びたシャワーホース４の端部が混合水栓１３３に接続されている。
【００１７】
第１壁パネル１３１には、更に、補助シャワーフック２の右側に位置して鏡１３４が設けられ、鏡１３４の上方に照明器具１３５が設けられている。
また、第１壁パネル１３１の混合水栓１３３の下方に位置して、カウンタ１３６が第１壁パネル１３１から水平方向前方に突出するように設けられている。
カウンタ１３６は、洗面器が置ける程度の広さを有して第１壁パネルから突出し、また、水を満たした洗面器を支持する強度を有し相応の厚みがある。カウンタ１３６の上面は浴槽１１０のフランジ面と同等もしくは低い。このため、カウンタ１３６から浴槽１１０に水が流れ込むことがない。
【００１８】
図２は、本発明の一実施形態としてシャワーフックを壁面に取り付けた状態を示す側面図である。図２において図１との対応部には同一の符号を附してある。
シャワーフック１は、第１壁パネル１３１の壁面１３１ａに取り付けられるブラケット部５と、一端側がブラケット部５に横方向に回動可能に接続されたアーム６とを含んで構成されている。アーム６の先端側にはシャワーヘッド３（図１）を保持する保持部７が設けられている。
【００１９】
保持部７は、後述するようにシャワーヘッド３を上下方向に回動可能に保持する。この回動にはラチェット機構を介して複数の安定位置が設定される。補助シャワーフック２にも保持部２ａが設けられている。保持部２ａも保持部７と同様にシャワーヘッド３を上下方向に回動可能に保持する。この回動にはラチェット機構を介して複数の安定位置が設定される点も保持部７と同様である。
【００２０】
図２の側面視で、第１壁パネル１３１のブラケット部５下方であって補助シャワーフック２よりもさらに下方の壁面１３１ａ部分に設置された設置物としてのカウンタ１３６は、第１壁パネル１３１の壁面１３１ａからの突出寸法がＬ１である。これに対し、シャワーフック１のアーム６先端に設けられた保持部７の壁面１３１ａからの距離はＬ２である。ここに、保持部７の壁面１３１ａからの距離Ｌ２とは、シャワーフック１のアーム６をブラケット部５に対して横方向に振らず平面視で壁面１３１ａに対して垂直な方向に真っ直ぐに並ぶようにした姿勢で、アーム６の先端部位の保持部７が壁面１３１ａから離隔している距離である。この距離Ｌ２は、保持部７の少なくとも一部分の壁面１３１ａからの距離であればよい。
シャワーフック１における距離Ｌ２は、ブラケット部５下方の設置物の壁面１３１ａからの突出寸法がＬ１よりも大きく設定される。
従って、ユーザがシャワーフック１の保持部７に保持されたシャワーヘッドに接近する際に壁面からのスペースが十分に確保され、窮屈さが払拭される。
図２より特に明らかな通り、シャワーフック１の突出寸法は、下方に設けられる補助シャワーフック２の突出寸法よりも大きい。換言すれば、補助シャワーフック２の突出寸法はシャワーフック１の突出寸法よりも小さい。
従って、シャワーフック１を用いるときにも、下方の補助シャワーフック２が邪魔にならない。
【００２１】
次に、図３、図４及び図５を参照して図１のシャワーフック１について詳細に説明する。
図３は、本発明の一実施形態としてのシャワーフックを示す斜視図である。
図４は、本発明の一実施形態としてのシャワーフックの側断面図である。
図５は、図４よりも断面深さが浅い図４のシャワーフックの側断面図である。
【００２２】
ブラケット部５は、内部に縦横にリブ８が設けられたブラケット組立体９有し、ブラケット組立体９の略上半分の部分がブラケットカバー部材１０によって覆われている。
ブラケット部５は、壁面１３１ａに沿う面部を有する基部１１の部位で、ねじ等により壁面１３１ａに取付けられている。基部１１は、ブラケット組立体９の部分を構成する部材である。
ブラケット組立体９は、ブラケット部５にアーム６を横方向に回動可能に接続する軸を有する。軸はブラケット組立体９の下部を占めるベース部１２から上方に立ち上がった概略筒状の中空軸体１３によって構成されている。軸である中空軸体１３は、その中心軸Ｘの方向が鉛直方向（従って、壁面１３１ａには平行）になるようにその位置が設定される。
【００２３】
ベース部１２と中空軸体１３とは一体に構成されて軸構造体１４を成している。ブラケット組立体９は、ブラケット組立体本体１５に軸構造体１４が嵌合して構成される。即ち、ブラケット組立体本体１５の下部軸孔１３ａ及び上部軸孔１３ｂに軸構造体１４の中空軸体１３が嵌り合うようにしてブラケット組立体本体１５と軸構造体１４とが嵌合する。
【００２４】
一方、アーム６は、内部にリブ１６が縦横に設けられたアーム組立体１７の略上半分の部分と先端側の部分がアームカバー部材１８によって覆われている。
アーム組立体１７におけるアームカバー部材１８よりもブラケット部５側に突出した部分には、ブラケット組立体９の中空軸体１３に対し回動可能に嵌り合う軸孔１９が設けられている。アーム組立体１７の軸孔１９とその周囲の部分は、ブラケット部５の中空軸体１３によってアーム６が横方向に回動可能に接続される接続部２０である。接続部２０の軸孔１９の中心がブラケット組立体９の中空軸体１３の中心軸Ｘ上に位置する。
アーム６の接続部２０が形成された一端側に対し、他端側には保持部７が上下方向に回動可能に設けられる。
【００２５】
本実施形態のシャワーフック１では、ブラケット部５の壁面１３１ａ側の端部である基部１１からアーム６側の端部である接続部位（詳細にはアーム６の接続部２０軸孔１９の中心位置に該当）までの長さが、アーム６のブラケット部５側の端部である接続部２０（詳細には軸孔１９の中心位置）から保持部７側の端部である先端部までの長さよりも短い。
換言すれば、アーム６の一端側の接続部２０（軸孔１９の中心）から先端側（保持部７が設けられている先端側）までの長さは、ブラケット部５の壁面１３１ａへの固定部分である基部１１からアーム６の接続部２０（軸孔１９の中心）までの長さよりも長い。
従って、アーム６を横方向に回動操作させるときにアーム６の先端側に触れて操作すれば、回動操作におけるアーム長が相対的に長いものとなり、少ない操作力で横方向に回動変位さることができる。このため、アーム６の横方向（左右の回動方向）での位置調節に関する操作性に優れる。
【００２６】
また、アーム６を回動可能に接続しているブラケット部５の中空軸体１３は、その中心軸Ｘが鉛直である。このため、アーム６の先端側の横方向（左右の回動方向）での振れは水平面に沿ったものとなり、横方向に回動させて位置調節をする場合における違和感がなく操作性が良い。
また、アーム６は壁面１３１ａに垂直な方向（本例では水平方向）よりも下方に傾斜した方向に延びるようにブラケット部５に取り付けられている。通常より長めに壁面１３１ａから突出したアーム６が、このように先端が下降する方向に向けられているため、水平方向或いは先端側が上昇する方向に向けられた場合に比しユーザにとって違和感が無く使い勝手に優れる。
【００２７】
次に、アーム６の先端側における保持部７と、その取付け部の構造について説明する。
保持部７は、シャワーヘッド３のシャワーホース４に連なるテーパー管部に対応して先端側（上側）が相対的に大径（曲率が緩い）の凹面部７ａが内側に形成されている。保持部７は、側面視で概略円形であり、凹面部７ａはこの円の直径方向に沿って形成されている。保持部７の外側には概略円形の中心に該当する左右の各位置（図４及び図５では、紙面の手前側と奥側との各位置）に軸体２１（図５参照）がそれぞれ突設されている。また概略円形内の軸体２１の中心から所定間隔離れた位置に回動範囲規制用のボス２２が軸体２１と平行に突設されている。
アーム６のアーム組立体１７における先端側の一対の突出リブ１６ａに、軸体２１が回動可能に嵌合する軸孔２３と、ボス２２が嵌合する回動範囲規制用の弧状の長孔である回動規制孔２４が設けられている。保持部７は、ボス２２が回動規制孔２４内で移動可能な範囲で軸体２１の軸を中心として上下に回動可能である（図３に二点鎖線にて図示）。
【００２８】
保持部７の外周におけるアーム組立体１７先端側へ対向する湾曲面には、ラチェット機構２５の凹凸状のラチェット歯部２５ａが形成されている。また、アーム組立体１７先端側にはラチェット歯部２５ａに対応する凹凸状部を有するラチェット歯止め部２５ｂが設けられている。ラチェット歯止め部２５ｂはその背後の弾性体などによる付勢部２５ｃによって突出し、ラチェット歯部２５ａに弾発的に嵌合する。ユーザによるシャワーヘッド３を介しての保持部７への上下方向の回動操作力が一定以上になると、ラチェット歯止め部２５ｂが弾発的に後退してラチェット歯部２５ａがラチェット歯止め部２５ｂに対して相対変位し、保持部７はラチェット機構２５の一つの安定位置から次の安定位置へと一段毎に回動する。ユーザの操作次第で回動段数が決まるが、回動範囲は、回動規制孔２４内でボス２２の移動が許容される範囲内に規制される。
【００２９】
次に、図４及び図６を参照してシャワーフック１（そのアーム６）の向きを横方向に変えるための機構について説明する。
既述の図４に加えて参照する図６は、本発明の一実施形態としてのシャワーフックの向きを横方向に変えるための機構を説明する図である。図６は、シャワーフック１を、ブラケット部５及びアーム６の上部を破断して平面視で示す図である。
図６において図４との対応部は同一の符号を附して示し、それら対応部の説明は適宜省略する。図６では、アーム６が平面視で壁面１３１ａに垂直な位置から横方向に回動したときの位置が二点鎖線にて図示されている。
【００３０】
ブラケット部５にアーム６が横方向に回動可能に接続されている部分にもラチェット機構２６が設けられている。
ラチェット機構２６は、中空軸体１３の外周におけるアーム組立体１７の基端側へ対向する周面に形成された凹凸状のラチェット歯部２６ａと、アーム組立体１７の基端側にラチェット歯部２６ａに対向するように設けられたラチェット歯止め部２６ｂとを含んで構成される。ラチェット歯止め部２６ｂはその背後の弾性体などによる付勢部２６ｃによって突出し、ラチェット歯部２６ａに弾発的に嵌合する。ユーザによるアーム６への左右方向（横方向）の回動操作力が一定以上になると、ラチェット歯止め部２６ｂが弾発的に後退してラチェット歯部２６ａがラチェット歯止め部２６ｂに対して相対変位する。ラチェット機構２６では、中空軸体１３の外周に形成されたラチェット歯部２６ａの位置が固定され、アーム組立体１７側のラチェット歯止め部２６ｂ側の位置が移動する。アーム６はラチェット機構２６の一つの安定位置から次の安定位置へと一段毎に回動する。ユーザの操作次第で回動段数が決まるが、回動範囲は、図示しない機構部により所定の回動角度以内に規制される。
【００３１】
以上述べた本実施形態によれば、以下の効果が奏される。
（１）本実施形態のシャワーフック１では、壁面１３１ａに取り付けられるブラケット部５と、一端側がブラケット部５に横方向に回動可能に接続され他端側にシャワーヘッド３を保持する保持部７が設けられたアーム６と、を有し、平面視で、アーム６を壁面１３１ａに垂直な姿勢にしたときに、保持部７の壁面１３１ａからの距離Ｌ２が、ブラケット部５の下方の壁面１３１ａ部分に設置された設置物であるカウンタ１３６の壁面１３１ａからの突出寸法Ｌ１よりも大きい。
このため、ユーザがシャワーフック１の保持部７に保持されたシャワーヘッドに接近する際に壁面からのスペースが十分に確保され、窮屈さが払拭される。
【００３２】
（２）シャワーフック１では、アーム６は、ブラケット部５側から保持部７側向かう程下がるように傾斜して延びている。
このため、通常より長めに壁面１３１ａから突出したアーム６は、その先端が下降する方向に向いているため、水平方向或いは先端側が上昇する方向に向いている場合に比しユーザにとって違和感が無く使い勝手に優れる。
【００３３】
（３）シャワーフック１では、保持部７は、シャワーヘッド３を上下方向に回動可能に保持する。
このため、それ自体が横方向に回動可能なアーム６に対して保持部７はシャワーヘッド３を上下方向に回動させることが可能であり、シャワーヘッド３の向きを広範囲に調節することができ、ユーザにとって使い勝手に優れる。
【００３４】
（４）シャワーフック１では、下方に設けられる補助シャワーフック２よりも突出寸法が大きい。
このため、シャワーフック１を用いるときにも、下方の補助シャワーフック２が邪魔にならない。
【００３５】
（５）シャワーフック１では、ブラケット部５は、アーム６を中心軸が鉛直な中空軸体１３の周りに横方向に回動可能にラチェット機構２６を介して支持する。
このため、アーム６を横方向に回動させる際の動きが実質的に水平方向に沿った軌跡を描くこととなり、動きに違和感が無く、且つ、ラチェット機構２６により、複数段の回動位置で安定に位置保持され、ユーザの使い勝手がよい。
【００３６】
（６）本発明の浴室である浴室ユニット１００は、シャワーフック１の下方に設置物としてのカウンタ１３６が配置された浴室ユニット１００であって、シャワーフック１は、浴室ユニット１００の壁面１３１aに取り付けられるブラケット部５と、一端側がブラケット部５に横方向に回動可能に接続され他端側にシャワーヘッド３を保持する保持部７が設けられたアーム６と、を有し、平面視で、アーム６を壁面１３１aに垂直な姿勢にしたときに、保持部７の壁面１３１aからの距離Ｌ２が、ブラケット部５の下方の壁面１３１a部分に設置されたカウンタ１３６の壁面１３１aからの突出寸法Ｌ１よりも大きい。
このため、ユーザがシャワーフック１の保持部７に保持されたシャワーヘッドに接近する際に壁面からのスペースが十分に確保され、窮屈さが払拭される。
【００３７】
（７）浴室ユニット１００では、シャワーフック１よりも突出寸法が小さい補助シャワーフック２がシャワーフック１の下方に設けられる。
このため、シャワーフック１を用いるときにも、下方の補助シャワーフック２が邪魔にならない。
【００３８】
尚、本発明は上記実施形態に限定されるものではなく、本発明の目的を達成できる範囲での変形変更等は本発明に含まれる。
例えば、上記実施形態におけるシャワーフック１では、保持部７の壁面１３１ａからの距離Ｌ２が、ブラケット部５の下方の壁面１３１ａ部分に設置された設置物であるカウンタ１３６の壁面１３１ａからの突出寸法Ｌ１よりも大きくなるようにブラケット部５及びアーム６の寸法が選択構成されていた。しかし、設置物としてカウンタ１３６よりも混合水栓に設けられた吐水部が大きく突出している場合には、吐水部についてその突出寸法Ｌ１を考慮して、このＬ１よりも距離Ｌ２が大きくなるようにブラケット部５及びアーム６の寸法を選択すればよい。
【符号の説明】
【００３９】
１…シャワーフック
２…補助シャワーフック
３…シャワーヘッド
５…ブラケット部
６…アーム
７…保持部
２５…ラチェット機構（上下回動）
２６…ラチェット機構（横回動）
１３１…第１壁パネル
１３１ａ…壁面
１３６…カウンタ
【図１】
2019044438.tif 000003
【図２】
2019044438.tif 000004
【図３】
2019044438.tif 000005
【図４】
2019044438.tif 000006
【図５】
2019044438.tif 000007
【図６】
2019044438.tif 000008